(57)【特許請求の範囲】
【請求項１】
車両が駐車場に入場した際に駐車券を発行するとともに、前記駐車券にこの駐車券の特有の情報を含む特定情報を書き込む券書き込み部を備えた駐車券発行機と、
駐車券の特定情報を読み取る端末読み取り部と、前記端末読み取り部により読み取られた情報の中の前記駐車券に特有の情報に基づいて割引情報から生成した割引用情報を書き込む端末書き込み部とを備えた割引端末装置と、
前記駐車券に書き込まれた前記特定情報および前記割引端末装置により書き込まれた前記割引用情報を読み取る券読み取り部と、前記券読み取り部による前記特定情報に基づいて前記割引用情報から前記割引情報を認識できるか否かにより前記割引用情報が正規な情報か否かを判定する割引判定部とを備えた料金精算機と、
を備えていることを特徴とする駐車券管理システム。
【請求項２】
前記駐車券発行機は、車両が駐車場に入場して駐車券を発券する際に所定の券番号を生成する券番号生成部を備えるとともに、現在の時刻を示す時計を備え、
前記券書き込み部は、少なくとも前記券番号発生部による券番号または前記時計による入場時刻のいずれかを前記特定情報として前記駐車券に書き込むものであることを特徴とする請求項１に記載の駐車券管理システム。
【請求項３】
前記駐車券発行機の券書き込み部は、前記特定情報を二次元の特定バーコードとして書き込むとともに、前記割引端末装置の端末書き込み部は、前記割引用情報を二次元の割引用バーコードとして書き込むものであることを特徴とする請求項１または請求項２に記載の駐車券管理システム。
【請求項４】
前記割引端末装置は、前記割引用情報を暗号化する暗号化する暗号生成部を備えるとともに、前記料金精算機は、前記割引端末装置により書き込まれた割引用情報を復号化する暗号復号部を備えていることを特徴とする請求項１から請求項３のいずれか一項に記載の駐車券管理システム。
【請求項５】
前記端末書き込み部は、前記駐車券に特有の情報と割引情報とを合成した割引用情報を書き込むものであり、前記割引判定部は、前記券読み取り部による前記特定情報と、前記割引用情報の中の駐車券に特有の情報とを比較し、両情報が一致しているか否かを比較して前記割引用情報が正規な情報か否かを判定するものであることを特徴とする請求項１から請求項４のいずれか一項に記載の駐車券管理システム。
【請求項６】
前記端末書き込み部は、前記暗号生成部により前記駐車券に特有の情報に基づいて割引情報を暗号化した割引用情報を書き込むものであり、前記割引判定部は、前記暗号復号部により、前記券読み取り部による前記特定情報に基づいて割引用情報を復号化し、復号化できるか否かで前記割引用情報が正規な情報か否かを判定するものであることを特徴とする請求項４に記載の駐車券管理システム。
【発明の詳細な説明】
【技術分野】
【０００１】
本発明は駐車券管理システムに係り、特に、磁気式の駐車券を用いることなく、不正な駐車券の割引処理を防止することを可能とした駐車券管理システムに関するものである。
【背景技術】
【０００２】
一般に、時間貸しの駐車場においては、駐車場利用者に対して駐車券を発行するようにしており、この駐車券としては、従来、一面に磁気記録面を有し、この磁気記録面に所定の情報を記録するようにしてなる磁気式の駐車券がある。
この磁気式の駐車券は、簡単に複製しにくく、変形などに対してある程度の耐性があり、駐車場の提携店舗による駐車料金の割引処理などの追記が可能であるといった理由から従来から多く用いられている。
【０００３】
しかし、近年、磁気式の駐車券より安価で、環境面にも配慮した駐車券が求められてきている。
そこで、例えば、感熱紙などの紙媒体からなる駐車券に入場時刻などの所定の情報をバーコードで書き込むとともに、提携店舗での割引情報などもバーコードで書き込み、これら各バーコードにより、入庫時間など所定の情報と、割引情報とを読み取り、割引処理や駐車料金の精算を行う技術が開示されている（例えば、特許文献１参照）。
【特許文献１】特開平５−１２８３３６号公報
【発明の開示】
【発明が解決しようとする課題】
【０００４】
しかしながら、前記特許文献１に記載の発明においては、バーコード自体が可視化されている情報であるため、他の正規な駐車券の割引情報部分のバーコードを複写して貼り付けるといった不正を行った場合に、不正な割引情報に基づいて割引処理が行われてしまい、不正に安い駐車料金で出庫することが可能となってしまうという問題を有している。
【０００５】
本発明は前記した点に鑑みてなされたものであり、磁気式の駐車券を用いずに、駐車券の不正な割引処理を確実に防止することのできる駐車券管理システムを提供することを目的とするものである。
【課題を解決するための手段】
【０００６】
本発明は前記目的を達成するために、請求項１に係る発明は、車両が駐車場に入場した際に駐車券を発行するとともに、前記駐車券にこの駐車券の特有の情報を含む特定情報を書き込む券書き込み部を備えた駐車券発行機と、
駐車券の特定情報を読み取る端末読み取り部と、前記端末読み取り部により読み取られた情報の中の前記駐車券に特有の情報に基づいて割引情報から生成した割引用情報を書き込む端末書き込み部とを備えた割引端末装置と、
前記駐車券に書き込まれた前記特定情報および前記割引端末装置により書き込まれた前記割引用情報を読み取る券読み取り部と、前記券読み取り部による前記特定情報に基づいて前記割引用情報から前記割引情報を認識できるか否かにより前記割引用情報が正規な情報か否かを判定する割引判定部とを備えた料金精算機と、を備えていることを特徴とする。
【０００７】
請求項２に係る発明は、請求項１において、前記駐車券発行機は、車両が駐車場に入場して駐車券を発券する際に所定の券番号を生成する券番号生成部を備えるとともに、現在の時刻を示す時計を備え、前記券書き込み部は、少なくとも前記券番号発生部による券番号または前記時計による入場時刻のいずれかを前記特定情報として前記駐車券に書き込むものであることを特徴とする。
【０００８】
請求項３に係る発明は、請求項１または請求項２において、前記駐車券発行機の券書き込み部は、前記特定情報を二次元バーコードとして書き込むとともに、前記割引端末装置の端末書き込み部は、前記割引用情報を二次元の割引用バーコードとして書き込むものであることを特徴とする。
【０００９】
請求項４に係る発明は、請求項１から請求項３のいずれか一項において、前記割引端末装置は、前記割引用情報を暗号化する暗号生成部を備えるとともに、前記料金精算機は、前記割引端末装置により書き込まれた割引用情報を復号化する暗号復号部を備えていることを特徴とする。
【００１０】
請求項５に係る発明は、請求項１から請求項４のいずれか一項において、前記端末書き込み部は、前記駐車券に特有の情報と割引情報とを合成した割引用情報を書き込むものであり、前記割引判定部は、前記券読み取り部による前記特定情報と、前記割引用情報の中の駐車券に特有の情報とを比較し、両情報が一致しているか否かを比較して前記割引用情報が正規な情報か否かを判定するものであることを特徴とする。
【００１１】
請求項６に係る発明は、請求項４において、前記端末書き込み部は、前記暗号生成部により前記駐車券に特有の情報に基づいて割引情報を暗号化した割引用情報を書き込むものであり、前記割引判定部は、前記暗号復号部により、前記券読み取り部による前記特定情報に基づいて割引用情報を復号化し、復号化できるか否かで前記割引用情報が正規な情報か否かを判定するものであることを特徴とする。
【発明の効果】
【００１２】
請求項１に係る発明によれば、端末読み取り部により読み取られた情報の中の前記駐車券に特有の情報に基づいて割引情報から生成した割引用情報を書き込むとともに、割引判定部により、券読み取り部による特定情報に基づいて割引用情報から割引情報を認識できるか否かにより割引用情報が正規な情報か否かを判定するようにしているので、駐車券の不正な割引処理を確実に防止することができる。また、磁気式の駐車券を用いる必要がないので、運用コストの低減を図ることができ、環境面にも配慮した駐車場のシステム運営が可能となる。
【００１３】
請求項２に係る発明によれば、駐車券発行機の券書き込み部により、券番号発生部による券番号および時計による入場時刻を特定情報として駐車券に書き込むようにしているので、券番号または入場時刻の少なくとも一方を駐車券に特有の情報として利用することが可能となる。
【００１４】
請求項３に係る発明によれば、券書き込み部により特定情報を二次元の特定バーコードとして書き込むとともに、端末書き込み部により割引用情報を二次元の割引用バーコードとして書き込むようにしているので、これら各バーコードを読み取ることにより容易に情報を得ることができる。
【００１５】
請求項４に係る発明によれば、割引端末装置の端末書き込み部により、暗号生成部により暗号化された情報を割引用情報として書き込むとともに、割引端末装置により書き込まれた割引用情報を暗号復号部により復号化するようにしているので、割引用情報の内容の漏洩を防ぐことができ、より不正の発生を防止することができる。
【００１６】
請求項５に係る発明によれば、端末読み取り部により読み取られた特定情報の中の駐車券に特有の情報と割引情報とを合わせた合成情報を生成して割引用情報を書き込み、割引判定部により、特定情報と割引用情報とを比較して、割引用情報が正規な情報であるか否かを判断するようにしているので、駐車券の不正な割引処理を確実に防止することができる。
【００１７】
請求項６に係る発明によれば、端末書き込み部により、暗号生成部により駐車券に特有の情報に基づいて割引情報を暗号化した割引用情報を書き込むとともに、割引判定部により、暗号復号部により特定情報に基づいて割引用情報を復号化し、復号化できるか否かで割引用情報が正規な情報か否かを判定するようにしているので、駐車券の不正な割引処理を確実に防止することができる。
【発明を実施するための最良の形態】
【００１８】
以下、本発明の実施の形態について図面を参照しながら説明する。
【００１９】
図１は本発明に係る駐車券管理システムの実施形態を示す概略図である。図１に示すように、本発明に係る駐車券管理システムは、駐車場の入場ゲート機付近に設置された駐車券発行機１を備えており、駐車券発行機１は、車両が駐車場に入場して駐車券２（図２参照）を発券する際に所定の券番号を生成する券番号生成部３を備えている。券番号生成部３による券番号は、入庫する車両に対して発券する駐車券２毎に固有の番号であり、同一の番号が付されることはない。また、駐車券発行機１は、現在の時刻を示す時計４を備えている。
【００２０】
さらに、駐車券発行機１には、券番号生成部３により生成された券番号および時計４による入場時刻をそれぞれ文字情報として書き込むとともに、券番号および入場時刻などの駐車券２に特有の情報を含む特定情報としての二次元の特定バーコード５を書き込む券書き込み部６が設けられている。この券書き込み部６は、例えば、熱転写プリンタなどの印刷装置により構成されている。なお、本実施形態においては、券書き込み部６により二次元のバーコードを書き込むようにしているが、券書き込み部６により書き込み可能な可視化されたデータであれば、例えば、一次元バーコードや数字配列などを書き込むようにしてもよい。
【００２１】
また、駐車場と提携している店舗には、割引端末装置７が駐車券発行機１に対してオフライン状態で設置されている。割引端末装置７には、駐車券２の特定バーコード５を読み取る端末読み取り部８が設けられており、割引端末装置７には、端末読み取り部８により読み取られた情報に基づいてその駐車券２が店舗と提携している駐車場であるか否かを判断する駐車券判定部９が設けられている。さらに、割引端末装置７には、端末読み取り部８により読み取られた情報の中の駐車券２に特有の情報と割引情報とを合わせた合成情報を生成するとともに、この合成情報を暗号化する暗号生成部１０が設けられている。なお、本実施形態においては、特定バーコード５の情報の中の駐車券２に特有の情報としては、券番号または車利用入庫時刻のいずれか一方の情報を用いるようにしてもよいし、両情報を用いるようにしてもよい。
【００２２】
また、割引端末装置７には、暗号生成部１０により生成された暗号化情報に基づいて割引用情報としての割引用バーコード１１を書き込む端末書き込み部１２が設けられている。
【００２３】
また、駐車場の出場口側には、料金精算機１３が設置されており、この料金精算機１３は、駐車券２に書き込まれた特定バーコード５および割引端末装置７により書き込まれた割引用バーコード１１を読み取る券読み取り部１４を備えている。料金精算機１３には、券読み取り部１４により読み取られた割引用バーコード１１の暗号化情報を復号化する暗号復号部１５が設けられている。また、料金精算機１３には、券読み取り部１４による特定バーコード５の読み取り情報の中の駐車券２に特有の情報と、暗号復号部１５により復号化された割引用バーコード１１の情報の中の駐車券２に特有の情報とを比較し、両情報が一致しているか否かを比較して割引用バーコード１１の情報が正規な情報か否かを判定する割引判定部１６が設けられている。
【００２４】
さらに、料金精算機１３には、現在の時刻を示す時計１７が設けられるとともに、特定バーコード５の情報、例えば、車両の入庫時間と時計１７による現在の時刻とに基づいて所定の駐車料金を計算するとともに、割引判定部１６により正規な情報と判断された割引用バーコード１１の情報に基づいて割引精算処理を行う精算部１８が設けられている。さらに、料金精算機１３には、車両の運転者に対して所定の精算指示を表示する表示部１９が設けられている。
【００２５】
なお、前記実施形態においては、券読み取り部１４および暗号復号部１５などを駐車場の出場口側に設置された料金精算機１３に設けるようにしているが、車両に乗車する前に精算を行う事前精算機に同様な構成を設けるようにしてもよい。
【００２６】
次に、本実施形態の作用について図３および図４に示すフローチャートを参照して説明する。
【００２７】
まず、駐車券２の発行処理について説明する。
駐車場に車両が入場して駐車券発行機１の近傍に停車したら、駐車券発行機１の券番号生成部３により所定の券番号を生成し、図２（ａ）に示すように、券番号生成部３により生成された券番号と時計４による入場時刻とに基づいて、券書き込み部６により文字情報および特定バーコード５を書き込む。
【００２８】
次に、店舗による割引処理について図３に示すフローチャートを参照して説明する。
店舗で商品を購入した場合など駐車料金のサービスを受ける場合は、割引端末装置７の端末読み取り部８により、駐車券２に書き込まれた特定バーコード５を読み取る（ＳＴ１）。続いて、駐車券判定部９により、端末読み取り部８により読み取った情報に基づいてその駐車券が店舗と提携している駐車場で発行されたものであるか否かを判断し（ＳＴ２）、駐車券２が提携する駐車場のものではない場合には、割引処理を中止する（ＳＴ３）。
【００２９】
駐車券２が正規の駐車券２ａであると判断した場合には、暗号生成部１０により、端末読み取り部８により読み取られた情報の中の駐車券２ａに特有の情報と割引情報とを合わせた合成情報を生成するとともに、この合成情報を暗号化し、図２（ａ）に示すように、端末書き込み部１２により、暗号生成部１０により生成された暗号化情報に基づいて割引用バーコード１１を書き込む（ＳＴ４）。なお、図２においては、４カ所の店舗により割引用バーコード１１が書き込まれた状態を示している。
【００３０】
次に、料金精算機１３による精算処理について図４に示すフローチャートを参照して説明する。
【００３１】
料金精算機１３においては、券読み取り部１４により、駐車券２ａに書き込まれた特定バーコード５および割引端末装置７により書き込まれた割引用バーコード１１を読み取る（ＳＴ５）。そして、割引判定部１６により、特定バーコード５に基づいて、券番号が現在駐車場に駐車中の番号であるか否か判断する（ＳＴ６）。すなわち、読み取った券番号がすでに出庫処理が行われている券番号である場合には、その駐車券２は不正な駐車券２ｂであるとして精算処理を中止する（ＳＴ７）。
【００３２】
そして、正規な駐車券２ａであると判断した場合には、暗号復号部１５により、券読み取り部１４により読み取られた割引用バーコード１１の暗号化情報を復号化し、割引判定部１６により割引用バーコード１１の情報を確認する（ＳＴ８）。続いて、割引判定部１６により、券読み取り部１４による特定バーコード５の読み取り情報の中の駐車券２ａに特有の情報と、暗号復号部１５により復号化された割引用バーコード１１の情報の中の駐車券２ａに特有の情報とを比較し、両情報が一致しているか否かを比較して割引用バーコード１１の情報が正規な情報か否かを判定する（ＳＴ９）。
【００３３】
そして、割引情報が特定バーコード５の読み取り情報の中の駐車券２ａに特有の情報と、割引用バーコード１１の情報の中の駐車券２ａに特有の情報が一致している場合には、所定の精算処理を行う（ＳＴ１０）。具体的には、割引処理の後、駐車料金が０となった場合は、精算処理は終了し、割引処理後に残金があれば残金を求める残金処理を行なう。一方、両情報が一致していないと判定した場合には、その駐車券２は不正な駐車券２であるとして精算処理を中止する（ＳＴ７）。
【００３４】
例えば、図２（ｂ）に示すように、駐車券２ｂに対して図２（ａ）に示す正規な他の駐車券２ａの割引用バーコード１１のみを複写して貼り付ける不正を行った場合、特定バーコード５の読み取り情報の中の駐車券２ｂに特有の情報は、その駐車券２ｂのものであるが、割引用バーコード１１の情報の中の駐車券２に特有の情報は、図２（ａ）に示す正規な他の駐車券２ａの情報であるため、両情報は一致しなくなり、割引判定部１６は、割引用バーコード１１の情報が正規な情報ではないと判定することになる。
【００３５】
これら精算処理を行う際に、駐車券２ｂが不正な駐車券２ｂである旨、駐車券２ａが正規で所定の精算を行う場合の運転者への指示などは、表示部１９により表示されるようになっている。
【００３６】
したがって、本実施形態においては、端末読み取り部８により読み取られた情報の中の駐車券２に特有の情報と割引情報とを合わせた合成情報を生成して割引用バーコード１１を書き込み、特定バーコード５と割引用バーコード１１とを比較することにより、割引用バーコード１１の情報が正規な情報であるか否かを判断するようにしているので、駐車券２の不正な割引処理を確実に防止することができる。また、磁気式の駐車券２を用いる必要がないので、運用コストの低減を図ることができ、環境面にも配慮した駐車場のシステム運営が可能となる。
【００３７】
なお、前記実施形態においては、端末読み取り部８により読み取られた情報の中の駐車券２に特有の情報と割引情報とを合わせた合成情報を生成して割引用バーコード１１を書き込み、特定バーコード５と割引用バーコード１１とを比較することにより、割引用バーコード１１の情報が正規な情報であるか否かを判断するようにしたが、例えば、店舗による割引処理を行う場合に、割引端末装置７の端末読み取り部８により、駐車券２に書き込まれた特定バーコード５を読み取り、この読み取った駐車券２の特定の情報（例えば、券番号情報）をキーとして利用して暗号化して割引用情報を生成し、端末書き込み部１２により、割引用バーコード１１を書き込むようにしてもよい。この場合には、料金精算機１３の券読み取り部１４により特定バーコード５の読み取り情報の中の駐車券２に特有の情報をキーとして暗号復号部１５により復号化し、復号化できた場合は、その駐車券２は正規のものと判定し、復号化できなかった場合は、駐車券２が不正なものと判定するものである。
【００３８】
例えば、店舗における割引コードを「５９６３」とした場合、駐車券の券番号を利用して暗号化して「８７６５４３」という情報を書き込み、券読み取り部１４により特定バーコード５の読み取り情報の中の駐車券２に特有の情報をキーとして暗号復号部１５により復号化し、割引コードである「５９６３」に復号化できた場合は、その駐車券２は正規のものと判定する。
【００３９】
また、暗号生成部１０を省略し、駐車券の特有の情報と割引情報とを合成することにより、割引用情報を駐車券の特有の情報を含むバーコードや数字の配列として生成して、端末書き込み部１２により、割引用情報を暗号化せずに書き込み、割引判定部１６により駐車券２の特有の情報と割引情報に含まれる駐車券２の特有の情報とを比較し、割引判定部１６において両情報が一致しているか否かを比較して判定するようにしてもよい。
【００４０】
例えば、駐車券２に特有の情報を「１２３」とした場合、端末書き込み部１２により、割引情報の前半に駐車券に特有の情報を含ませて「１２３４５６」として書き込み、割引判定部１６において、割引情報の前半の「１２３」と特有の情報である「１２３」とを比較すると一致するため、正規な情報と判定するものである。また、図示はしないが、二次元バーコードを使用する際には、それ自体が複雑な模様で表示されているため、暗号化しなくても特に有効である。
なお、前記いずれの場合も、この書き込み情報を、二次元バーコード、一次元バーコードあるいは数字配列などいずれの形式で書き込むようにしてもよい。
【００４１】
また、本発明は上記実施形態に限定されるものではなく、本発明の趣旨に基づいて種々の変形が可能である。
【図面の簡単な説明】
【００４２】
【図１】本発明に係る駐車券管理システムの実施形態を示す概略構成図である。
【図２】図２（ａ）は本発明に係る駐車券管理システムの駐車券を示す平面図、図２（ｂ）は、不正な駐車券の例を示す平面図である。
【図３】本実施形態における割引処理の動作を示すフローチャートである。
【図４】本実施形態における精算処理の動作を示すフローチャートである。
【符号の説明】
【００４３】
１  駐車券発行機
２  駐車券
３  券番号生成部
４，１７  時計
５  特定バーコード
６  券書き込み部
７  割引端末装置
８  端末読み取り部
９  駐車券判定部
１０  暗号生成部
１１  割引用バーコード
１２  端末書き込み部
１３  料金精算機
１４  券読み取り部
１５  暗号復号部
１６  割引判定部
１８  精算部
１９  表示部
【図１】
0005142661.tif 000002
【図２】
0005142661.tif 000003
【図３】
0005142661.tif 000004
【図４】
0005142661.tif 000005